(57)【特許請求の範囲】
【請求項１】
積み重ねシートを支持するテーブルの前側に、そのテーブル上に送り込まれる積み重ねシートの前面を支持するシート支持部が設けられた回動可能なシート反転台と、前記シート支持部がほぼ水平にされて積み重ねシートが横倒しにされるシート反転台の回動状態において、シート支持部に沿って送り出されるシートを受け取って前側に搬送するシート搬送装置とから成り、前記シート搬送装置が、複列の第１ベルトコンベヤと、その第１ベルトコンベヤの排出端部間に供給端部が配置され、その供給端から排出端に向けて上り勾配をもって傾斜する複列の第２ベルトコンベヤとを有する給紙装置において、前記第１ベルトコンベヤにおけるキャリア側ベルトに、シートをほぼ水平に搬送する水平走行部と、その水平走行部の先端に連続し、排出端に向けて下り勾配をもって傾斜する傾斜走行部とを設け、その傾斜走行部の水平方向の長さを横倒しされたシートの上下縁間の幅寸法より短くしたことを特徴とする給紙装置。
【発明の詳細な説明】
【０００１】
【発明の属する技術分野】
この発明は、積み重ねられた段ボールシート等の多数のシートを横倒しにした状態で印刷機等のシート加工機の給紙部に供給する給紙装置に関するものである。
【０００２】
【従来の技術】
高く積み重ねられたシートを横倒しにしてシート加工機に供給する給紙装置として、図７（Ｉ）に示したものが従来から知られている。この給紙装置は、シート反転台６０に設けられたテーブル６１上に積み重ねシートＳ0 を送り込み、そのシート反転台６０を上記テーブル６１がほぼ垂直の状態とされるよう軸６２を中心に矢印方向に回動させて、シート反転台６０に設けられたシート支持部６３で前面を支持されている積み重ねシートＳ0 を横倒しするようにしている。そして、シート支持部６３で横倒しのシートＳ0 が支持されると、図７（II）に示すように、キッカー６４を前進動させ、そのキッカー６４により横倒しのシートＳ0 をシート支持部６３に沿って移動させて、シート支持部６３の前側に設けられたシート搬送装置６５に送り込み、そのシート搬送装置６５によってシートＳ0 をシート加工機に向けて搬送させるようにしている。
【０００３】
ここで、シート搬送装置６５は、複列の第１ベルトコンベヤ６６と、その第１ベルトコンベヤ６６の排出端部間に供給端部が配置された複列の第２ベルトコンベヤ６７とを有し、第１ベルトコンベヤ６６は、シートＳ0 の搬送時に、そのシートＳ0 の倒れ方向を常に一定の方向とするため、排出端に向けてわずかな下り勾配をもって傾斜する、ほぼ水平に近い傾斜状の配置とされている。
【０００４】
一方、第２ベルトコンベヤ６７はシート加工機の給紙位置との関係から排出端に向けて上り勾配をもって傾斜する傾斜状の配置とされている。
【０００５】
【発明が解決しようとする課題】
ところで、図７（Ｉ）、（II）に示す従来の給紙装置においては、第１ベルトコンベヤ６６のキャリア側ベルト６６ａが全長にわたって傾斜しているため、その第１ベルトコンベヤ６６によってシートＳ0 が搬送され始めると、積み重ねシートＳ0 の各シートＳ1 は図７（II）の鎖線で示すように、前倒れとなり、先行側のシートＳ1 は図８に示すように、後続のシート群の重量を受け、倒れ方向前面の下縁がキャリア側ベルト６６ａに押し付けられる状態で第１ベルトコンベヤ６６から第２ベルトコンベヤ６７上に送られる。
【０００６】
このとき、第１ベルトコンベヤ６６と第２ベルトコンベヤ６７とは逆向きの傾斜であって、第１、第２ベルトコンベヤ６６、６７のキャリア側ベルト６６ａ、６７ａの相互間に角度がつけられているため、第１ベルトコンベヤ６６のキャリア側ベルト６６ａに前面の下縁（下面前縁）イが強く押し付けられたシートＳ1 が第２ベルトコンベヤ６７に乗り移る場合に、第２ベルトコンベヤ６７のキャリア側ベルト６７ａはシートＳ1 の前面下縁イに強く接触することになり、その接触によってシートＳ1 の前面下縁が傷を付けられるおそれがある。
【０００７】
図８に示すように、シートＳ1 の前面下縁イがキャリア側ベルト６７ａとの接触によって損傷すると、不良品となり、また、そのシートＳ1 が損傷部を後方に向けて水平状にシート加工機に供給され、そのシート加工機に設けられた往復動可能なキッカーがシートＳ1 の後端の損傷部を押圧することになってキックミスが生じ、シートＳ1 を送ることができない場合が生じる。
【０００８】
この発明の課題は、シートの下縁に損傷を与えることなくシートを搬送させることができるようにした給紙装置を提供することである。
【０００９】
【課題を解決するための手段】
上記の課題を解決するために、この発明においては、積み重ねシートを支持するテーブルの前側に、そのテーブル上に送り込まれる積み重ねシートの前面を支持するシート支持部が設けられた回動可能なシート反転台と、前記シート支持部がほぼ水平にされて積み重ねシートが横倒しにされるシート反転台の回動状態において、シート支持部に沿って送り出されるシートを受け取って前側に搬送するシート搬送装置とから成り、前記シート搬送装置が、複列の第１ベルトコンベヤと、その第１ベルトコンベヤの排出端部間に供給端部が配置され、その供給端から排出端に向けて上り勾配をもって傾斜する複列の第２ベルトコンベヤとを有する給紙装置において、前記第１ベルトコンベヤにおけるキャリア側ベルトに、シートをほぼ水平に搬送する水平走行部と、その水平走行部の先端に連続し、排出端に向けて下り勾配をもって傾斜する傾斜走行部とを設け、その傾斜走行部の水平方向の長さを横倒しされたシートの上下縁間の幅寸法より短くした構成を採用したのである。
【００１０】
上記のように、第１ベルトコンベヤのキャリア側ベルトに水平走行部と傾斜走行部とを設けることにより、シート反転台から第１ベルトコンべヤ上に送り込まれたシートは、キャリア側ベルトの水平走行部を移動する際、ほぼ起立する状態で搬送され、その水平走行部に続く傾斜走行部を移動するとき、前方に倒れて、倒れ方向の前部が第２ベルトコンベヤで受けられ、あるいは第２ベルトコンベヤ上に送り込まれた先のグループのシート背面で受けられる。
【００１１】
このように、第１ベルトコンベヤによって搬送されるシートは傾斜走行部において先頭のシートから順に前倒れとなり、数枚のシートが前倒れすると先頭のシートは第２ベルトコンベヤに乗り移ることになる。このため、第２ベルトコンベヤに乗り移るシートは後続の数枚のシートの重量が付与されるのみであるため、シートの前面下縁は第２ベルトコンベヤのキャリア側ベルトに強く接触することはなく、シート下縁がキャリア側ベルトとの接触によって傷がつくのを防止することができる。
【００１２】
【発明の実施の形態】
以下、この発明の実施の形態を図１乃至図６に基づいて説明する。図１乃至図３に示すように、積み重ねシートＳ0 は複列のシート送り込みコンベヤ１によりシート反転台１０に向けて送り込まれる。
【００１３】
シート反転台１０はテーブル１１と、そのテーブル１１上に送り込まれた積み重ねシートＳ0 の前面を支持するシート支持部１２を有している。
【００１４】
シート支持部１２は細長い側枠１３を両側に有し、その側枠１３間に積み重ねシートＳ0 の前面を支持する板体１４を設けている。
【００１５】
テーブル１１は、複数の支持アーム１５を櫛歯状に配置し、各支持アーム１５の前側一端を支持アーム１５の配置方向に長く延びるアーム支持バー１６に固定している。
【００１６】
上記支持アーム１５は支持片１７を両端に有し、各支持片１７は、シート支持部１２の板体１４に形成された長孔１８内に挿通され、シート支持部１２の側枠１３内面に設けられたガイドロッド１９によって図１における上下方向へスライド自在に支持されている。
【００１７】
テーブル１１は移動装置２０によってシート支持部１２の板体１４の表面に沿って移動される。
【００１８】
移動装置２０は、シート支持部１２における両側一対の側枠１３の上部間および下部間に軸２１、２２をかけ渡し、各軸２１、２２の両端部にスプロケット２３ａ、２３ｂを取付け、上下で対向するスプロケット２３ａ、２３ｂ間にチェーン２４をかけ渡し、各チェーン２４の一部を支持片１７に連結し、上部の軸２１をモータ２５で回転させてテーブル１１を移動させるようにしている。
【００１９】
移動装置２０における上部の軸２１は、側枠１３を貫通し、その側枠１３の外側方に位置する軸２１の両端部が給紙装置の一対のサイドフレーム２６で回転自在に支持され、上記軸２１を中心としてシート反転台１０が回転自在に支持されている。
【００２０】
シート反転台１０におけるシート支持部１２には２本のシリンダ２７が接続され、各シリンダ２７の作動によって上部の軸２１を中心としてシート反転台１０が回動されるようになっている。
【００２１】
前記上部の軸２１には、テーブル１１上に送り込まれる積み重ねシートＳ0 の高さがシート反転台１０のシート支持部１２の長さより高い場合に、その積み重ねシートＳ0 の上部前面を支持する複数のシート補助アーム２８の各一端部が固定されている。シート補助アーム２８のそれぞれにはシリンダ２９が接続され、そのシリンダ２９の作動によってシート補助アーム２８がシート反転台１０に対して独立して回動されるようになっている。
【００２２】
シート反転台１０のシート支持部１２と上部の軸２１の相互間にはロック機構３０が設けられている。ロック機構３０は、上部の軸２１にピニオン３１を固定し、そのピニオン３１に対してラック３２を進退させるシリンダ３３をシート支持部１２で支持している。
【００２３】
上記ロック機構３０は、シート反転台１０とシート補助アーム２８とを一体に回動させるとき、ピニオン３１にラック３２を噛合させて軸２１を回り止めし、また、シート反転台１０とシート補助アーム２８とをそれぞれ独立して回動させるとき、ラック３２を後退させて、ピニオン３１に対する噛合を解除、すなわち、軸２１の回り止めを解除するようになっている。
【００２４】
シート反転台１０のテーブル１１上に送り込まれる積み重ねシートＳ0 は上部の軸２１を中心とするシート反転台１０の回動と、その回動停止後のテーブル１１の移動とによってシート搬送装置４０上に送り込まれる。
【００２５】
シート搬送装置４０は、複列の第１ベルトコンベヤ４１と、複列の第２ベルトコンベヤ４２とから成る。複列の第１ベルトコンベヤ４１は、シート反転台１０の回動中心となる上部の軸２１に複数のテールプーリ４３を回動自在に取付け、上記軸２１に平行に設けられた第１プーリ駆動軸４４にテールプーリ４３と同数のヘッドプーリ４５をテールプーリ４３と前後で対向するよう固定し、それぞれ対応する各ヘッドプーリ４５と各テールプーリ４３間にベルト４６をかけ渡している。
【００２６】
第１ベルトコンベヤ４１におけるベルト４６のキャリア側ベルト４６ａはベルト案内部材４７で支持され、そのキャリア側ベルト４６ａにシートＳ0 をほぼ水平に搬送する水平走行部４７ａと、その水平走行部４７ａの先端に連続し、排出端に向けて下り勾配をもって傾斜する傾斜走行部４７ｂとが設けられている。
【００２７】
図５に示すように、傾斜走行部４７ｂの水平方向の長さＬ1 は、横倒しされたシートＳ1 の上下縁間の最小サイズの幅寸法Ｗより短くしておくのが好ましい。
【００２８】
図１乃至図３に示すように、複列の第２ベルトコンベヤ４２は、第１プーリ駆動軸４４に複数のテールプーリ４８を回転自在に取付け、その第１プーリ駆動軸４４に平行に配置された第２プーリ駆動軸４９にテールプーリ４８と同数のヘッドプーリ５０をテールプーリ４８と前後で対向するよう固定し、それぞれ対応する各ヘッドプーリ５０と各テールプーリ４８間にベルト５１をかけ渡している。複列の第２ベルトコンベヤ４２におけるベルト５１のキャリア側ベルト５１ａは排出端に向けて水平に近いやや上り勾配をもって傾斜している。
【００２９】
実施の形態で示す給紙装置は上記の構造から成り、次にその作用を説明する。図１に示すように、シート送り込みコンベヤ１からシート反転台１０のテーブル１１上に積み重ねシートＳ0 が送り込まれ、その積み重ねシートＳ0 の前面がシート支持部１２に当接すると、移動装置２０が作動してテーブル１１を上昇させる。
【００３０】
上記テーブル１１がシート送り込みコンベヤ１の搬送面より積み重ねシートＳ0 を所定高さ持ち上げると、シリンダ２７の作動により、上部の軸２１を中心にシート反転台１０が回動する。
【００３１】
このとき、ロック機構３０のラック３２はピニオン３１に噛合して上部の軸２１を回り止めしており、その軸２１の回り止めによってシート補助アーム２８もシート反転台１０と共に回動する。
【００３２】
シート反転台１０がほぼ９０°回動して、シート支持部１２がほぼ水平の状態とされると、図４に示すように、複数のシート補助アーム２８は複列の第１ベルトコンベヤ４１間に配置される。
【００３３】
シート反転台１０およびシート補助アーム２８のほぼ９０°の回動によって積み重ねシートＳ0 は横倒しされ、積み重ねシートＳ0 の先行側（前部）の各シートＳ1 が第１ベルトコンベヤ４１によって支持されると、移動装置２０の作動によりテーブル１１が前進すると共に、第１ベルトコンベヤ４１および第２ベルトコンベヤ４２が作動し、横倒しされた各シートＳ1 は前方に搬送される。
【００３４】
図４に示すように、シートＳ0 は、第１ベルトコンベヤ４１の水平走行部４７ａを移動するとき、ほぼ垂直の状態を保って前方に移動する。そのシートＳ1 が図５に示すように水平走行部４７ａに続く傾斜走行部４７ｂを移動するとき、シートＳ1 は搬送方向の前方に向けて倒れる。このとき、第２ベルトコンベヤ４２上に先に送られたシートＳ1 が存在すると、前方に向けて倒れたシートＳ1 の上部は前方に存在するシートＳ1 の背面に支持され、その支持状態において、シートＳ1 は第２ベルトコンベヤ４２に乗り移り、その第２ベルトコンベヤ４２によって前方に搬送される。
【００３５】
このように、第１ベルトコンベヤ４１によって前方に搬送されるシートＳ0 は傾斜走行部４７ｂを移動する際に先頭のシートＳ1 から順に倒れるため、傾斜走行部４７ｂ上において前倒れとなって互いに重なり合うシートＳ1 の枚数も少ない。このため、前倒れのシートＳ1 が後続のシートＳ1 の重さによって下向きに押圧される押圧力も小さく、上記シートＳ1 が第１ベルトコンベヤ４１から第２ベルトコンベヤ４２に乗り移る際に、シートＳ1 の前面下縁に第２ベルトコンベヤ４２のキャリア側ベルト５１ａが強く接触することはなく、シートＳ1 の前面下縁がキャリア側ベルト５１ａへの接触によって傷がつけられるという不都合の発生は殆どない。
【００３６】
ここで、シートＳ1 が傾斜走行部４７ｂで先頭のシートＳ1 から順に倒れるとき、水平走行部４７ａ上の後続のシートＳ1 も前方に向けて倒れる場合もある。このとき、後続の各シートＳ1 は図６に示すように、搬送方向の前後面が互いに密着する状態となり、その密着状態を保って前方に移動する。このため、密着状態のシートＳ0 が傾斜走行部４７ｂを移動するとき、各シートＳ1 は下縁が傾斜走行部４７ｂから浮いた状態で移動して第２ベルトコンベヤ４２上にスムーズに乗り移り、シートＳ1 の下縁が第２ベルトコンベヤ４２のキャリア側ベルト５１ａによって傷つけられることは殆どない。
【００３７】
なお、シート反転台１０のシート支持部１２上に位置する最後尾のシートＳ1 がテーブル１１の前進動によって第１ベルトコンベヤ４１上に送り込まれると、移動装置２０の作動によりテーブル１１が後退動されると共に、シリンダ２７の作動によりシート反転台１０が復帰回動される。その復帰回動に先立って、ロック機構３０のラック３２はピニオン３１から外れて上部の軸２１の回り止めを解除する。このため、シート反転台１０はシート補助アーム２８に独立して復帰回動する。また、最後尾のシートＳ1 がシート補助アーム２８の先端を通過すると、シリンダ２９の作動によりシート補助アーム２８が復帰回動し、シート反転台１０のテーブル１１がほぼ水平の状態とされて、次の積み重ねシートＳ0 がテーブル１上に送り込まれる。
【００３８】
【発明の効果】
以上のように、この発明においては、第１ベルトコンベヤのキャリア側ベルトに水平走行部と、その水平走行部に連続して傾斜走行部とを設けたので、第１ベルトコンベヤ上に送り込まれた横倒しシートがその第１ベルトコンベヤの移動によって前方に搬送される場合に、傾斜走行部において先頭のシートから順にシートを前倒しすることができる。このとき、その前倒しシートの数は少なく、前倒しされたシートが後続のシートの重さで押下げられる押圧力も小さいため、前倒しされたシートの前面下縁が第２ベルトコンベヤのキャリア側ベルトによって強く擦られるのを防止することができ、シートの下縁に傷がつくのを防止することができる。
【図面の簡単な説明】
【図１】この発明に係る給紙装置の実施の形態を示す断面正面図
【図２】図１の一部切欠平面図
【図３】図１の一部切欠左側面図
【図４】積み重ねシートを横倒しした状態の縦断正面図
【図５】シートが第１ベルトコンベヤから第２ベルトコンベヤに乗り移る状態の正面図
【図６】第１ベルトコンベヤ上のシートの全体が倒れた場合の搬送状態を示す正面図
【図７】従来の給紙装置を示し、（Ｉ）はテーブル上に積み重ねシートを送り込んだ状態の正面図、（II）は積み重ねシートを横倒しした状態の正面図
【図８】従来の給紙装置において、横倒しされたシートが第１ベルトコンベヤから第２ベルトコンベヤに乗り移る状態の正面図
【符号の説明】
１０  シート反転台
１１  テーブル
１２  シート支持部
４０  シート搬送装置
４１  第１ベルトコンベヤ
４２  第２ベルトコンベヤ
４６  ベルト
４６ａ  キャリア側ベルト
４７ａ  水平走行部
４７ｂ  傾斜走行部
【図１】
0004462784.tif 000002
【図２】
0004462784.tif 000003
【図３】
0004462784.tif 000004
【図４】
0004462784.tif 000005
【図５】
0004462784.tif 000006
【図６】
0004462784.tif 000007
【図７】
0004462784.tif 000008
【図８】
0004462784.tif 000009